(57)【特許請求の範囲】
【請求項１】
サービング基地局（ＢＳ）による無線通信のための方法であって、
前記サービングＢＳあるいは１つ以上の潜在的に干渉するＢＳのうちの少なくとも１つからの送信に使用される、制限されたセットのシステムパラメータに関する情報を決定することと、ここにおいて、前記制限されたセットのシステムパラメータは、前記サービングＢＳあるいは前記１つ以上の潜在的に干渉するＢＳのうちの前記少なくとも１つが、信号として送信可能な値のサブセットであり、利用可能なトラフィック対パイロット（ＴＰＲ）値のサブセット、利用可能な送信モードのサブセット、あるいは利用可能なリソース割り当てタイプのサブセット、のうちの少なくとも１つを含む、
前記情報をユーザ装置（ＵＥ）にシグナリングすることと、
を備える方法。
【請求項２】
前記決定することはＢＳ間のバックホールを介して前記情報を受信することを備える請求項１の方法。
【請求項３】
前記制限されたセットのシステムパラメータは、サブフレームのサブセット、ハイブリッド自動反復要求（ＨＡＲＱ）プロセスのサブセット、あるいは１つ以上の動作モードのサブセット、のうちの少なくとも１つに関して選択的に使用される請求項１の方法。
【請求項４】
前記シグナリングは、ブロードキャストシグナリング、無線リソース制御（ＲＲＣ）シグナリング、あるいはレイヤ１シグナリングのうちの少なくとも１つを備える請求項１の方法。
【請求項５】
前記情報は、特定のパラメータが、送信に使用される、前記制限されたセットのシステムパラメータの一部であるかを示すためのビットマップを備える請求項１の方法。
【請求項６】
サービング基地局（ＢＳ）による無線通信のための装置であって、
前記サービングＢＳあるいは１つ以上の潜在的に干渉するＢＳのうちの少なくとも１つからの送信に使用される、制限されたセットのシステムパラメータに関する情報を決定し、ここにおいて、前記制限されたセットのシステムパラメータは、前記サービングＢＳあるいは前記１つ以上の潜在的に干渉するＢＳのうちの前記少なくとも１つが、信号として送信可能な値のサブセットであり、利用可能なトラフィック対パイロット（ＴＰＲ）値のサブセット、利用可能な送信モードのサブセット、あるいは利用可能なリソース割り当てタイプのサブセット、のうちの少なくとも１つを含み、
前記情報をユーザ装置（ＵＥ）にシグナリングする
ように構成された少なくとも１つのプロセッサと、
前記少なくとも１つのプロセッサに結合されたメモリと、
を備える装置。
【請求項７】
前記制限されたセットのシステムパラメータは、サブフレームのサブセット、ハイブリッド自動反復要求（ＨＡＲＱ）プロセスのサブセット、あるいは１つ以上の動作モードのサブセット、のうちの少なくとも１つに関して選択的に使用される請求項６の装置。
【請求項８】
前記情報は、特定のパラメータが、送信に使用される、前記制限されたセットのシステムパラメータの一部であるかを示すためのビットマップを備える請求項６の装置。
【請求項９】
前記情報は、複数のインデックス値から選択されたインデックス値を備え、各インデックス値は前記制限されたセットにおける許可可能なシステムパラメータの組み合わせを示す請求項６の装置。
【請求項１０】
前記決定することは異なるタイプの送信に使用される、異なる制限されたセットのシステムパラメータに関する情報を決定することを備える請求項６の装置。
【請求項１１】
ユーザ装置（ＵＥ）による無線通信のための方法であって、
サービング基地局（ＢＳ）あるいは１つ以上の潜在的に干渉するＢＳのうちの少なくとも１つからの送信に使用される、制限されたセットのシステムパラメータに関する情報のシグナリングを受信することと、ここにおいて、前記制限されたセットのシステムパラメータは、前記サービングＢＳあるいは前記１つ以上の潜在的に干渉するＢＳのうちの前記少なくとも１つが、信号として送信可能な値のサブセットであり、利用可能なトラフィック対基準信号電力（ＴＰＲ）値のサブセット、利用可能な送信モードのサブセット、あるいは利用可能なリソース割り当てタイプのサブセット、のうちの少なくとも１つを含む、
前記１つ以上の潜在的に干渉するＢＳあるいはサービングＢＳからの送信による干渉を抑制するために前記情報を使用することと、
を備える方法。
【請求項１２】
前記制限されたセットのシステムパラメータは、サブフレームのサブセット、ハイブリッド自動反復要求（ＨＡＲＱ）プロセスのサブセット、あるいは１つ以上の動作モードのサブセット、のうちの少なくとも１つに関して選択的に使用される請求項１１の方法。
【請求項１３】
前記情報は、特定のパラメータが、送信に使用される、前記制限されたセットのシステムパラメータの一部であるかを示すためのビットマップを備える請求項１１の方法。
【請求項１４】
前記情報は、複数のインデックス値から選択されたインデックス値を備え、各インデックス値は前記制限されたセットにおける許可可能なシステムパラメータの組み合わせを示す請求項１１の方法。
【請求項１５】
ユーザ装置（ＵＥ）による無線通信のための装置であって、
サービング基地局（ＢＳ）あるいは１つ以上の潜在的に干渉するＢＳのうちの少なくとも１つからの送信に使用される、制限されたセットのシステムパラメータに関する情報のシグナリングを受信し、ここにおいて、前記制限されたセットのシステムパラメータは、前記サービングＢＳあるいは前記１つ以上の潜在的に干渉するＢＳのうちの前記少なくとも１つが、信号として送信可能な値のサブセットであり、利用可能なトラフィック対基準信号電力（ＴＰＲ）値のサブセット、利用可能な送信モードのサブセット、あるいは利用可能なリソース割り当てタイプのサブセット、のうちの少なくとも１つを含み、
前記１つ以上の潜在的に干渉するＢＳあるいはサービングＢＳからの送信による干渉を抑制するために前記情報を使用する
ように構成された少なくとも１つのプロセッサを備える装置。
【発明の詳細な説明】
【技術分野】
【０００１】
米国特許法第１１９条の下での優先権の請求
［０００１］この出願は、米国特許仮出願Ｎｏ．６１／８０９０４４号（２０１３年４月５日出願）および米国特許出願Ｎｏ．１４／２４３７８０号（２０１４年４月２日出願）の利益を請求するものであり、それの全体はいずれもここに参照によって組み込まれている。
【０００２】
［０００２］本開示は概して通信システムに関し、より詳細には、システム動作パラメータの制限および効率的なシグナリングのために制限されたセットのパラメータを受信機に送信するための方法および装置に関する。
【背景技術】
【０００３】
［０００３］無線通信システムは、電話、映像、データ、メッセージ、そして放送
などの種々の遠隔通信サービスを提供するために広範囲に展開されている。一般的な無線通信システムは、利用可能なシステム資源（例えば帯域、送信電力）を共有することによって複数ユーザとの通信をサポートすることができる多元接続技術を使用することができる。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続（ＳＣ−ＦＤＭＡ）システム、そして時分割同期符号分割多元接続（ＴＤ−ＳＣＤＭＡ）システムを含む。
【０００４】
［０００４］これらの多元接続技術は異なる無線装置が市街、国、地域、そして地球レベルで通信することを可能にする共通のプロトコルを提供するために種々の遠隔通信標準において採用されてきた。出現している遠隔通信標準の一例はロングタームエボリューション（ＬＴＥ）である。ＬＴＥ／ＬＴＥアドバンストは第３世代パートナーシッププロジェクト（３ＧＰＰ）によって発表されたユニバーサルモバイル遠隔通信システム（ＵＭＴＳ）モバイル標準に対する一組の拡張である。それは、ダウンリンク（ＤＬ）上でのＯＦＤＭＡ，アップリンク（ＵＬ）上でのＳＣ―ＦＤＭＡ、そして多入力多出力（ＭＩＭＯ）アンテナ技術を使用した、スペクトル効率の改善、低コスト、改善されたサービス、新しいスペクトルの使用、そして他のオープン標準とのより良い統合によってモバイルブロードバンドインターネットアクセスをよりよくサポートするように設計されている。しかしながら、モバイルブロードバンドアクセスに対する要求が増大するにつれて、ＬＴＥ技術におけるさらなる改善に対する要求が存在する。好ましくは、これらの改善は、他のアクセス技術およびこれらの技術を使用する遠隔通信標準に適用されるべきである。
【０００５】
［０００５］無線通信網は多数のユーザ装置（ＵＥ）に対する通信をサポートできる多数の基地局を含むことができる。ＵＥはダウンリンクおよびアップリンクを介して基地局と通信することができる。ダウンリンク（またはフォワードリンク）は基地局からＵＥへの通信リンクを意味し、アップリンク（またはリバースリンク）はＵＥから基地局への通信リンクを意味することができる。
【０００６】
［０００６］基地局はダウンリンクを介して１つ以上のＵＥにデータを送信することができ、アップリンクを介して１つ以上のＵＥからデータを受信することができる。ダウンリンクに関して、基地局からのデータ送信は、隣接基地局からのデータ送信による干渉を受けることがある。アップリンクに関して、ＵＥからのデータ送信は、隣接基地局と通信する他のＵＥからのデータ送信による干渉を受けることがある。ダウンリンクおよびアップリンクの両方に関して、干渉基地局および干渉ＵＥによる干渉はパフォーマンスを低下させることがある。
【発明の概要】
【０００７】
［０００７］本開示はシステム動作パラメータの制限および効率的なシグナリングのために制限されたセットのパラメータを受信機に送信することに関する方法および装置を提供する。
【０００８】
［０００８］本開示のある側面はサービング（serving）基地局（ＢＳ）による無線通信のための方法を提供する。方法は概してサービングＢＳあるいは１つ以上の潜在的に干渉するＢＳの少なくとも１つからの送信に使用される、制限されたセットのシステムパラメータに関する情報を決定することと、当該情報をユーザ装置（ＵＥ）にシグナリングすることを含む。
【０００９】
［０００９］本開示のある種の側面はユーザ装置（ＵＥ）による無線通信のための方法を提供する。方法は概してサービングＢＳあるいは１つ以上の潜在的に干渉するＢＳの少なくとも１つからの送信に使用される、制限されたセットのシステムパラメータに関する情報のシグナリングを受信することと、１つ以上の潜在的に干渉するＢＳまたはサービングＢＳの少なくとも１つからの送信による干渉を抑制するために当該情報を使用することを含む。
【００１０】
［００１０］本開示のある種の側面は基地局（ＢＳ）による無線通信のための装置を提供する。装置は概してサービングＢＳあるいは１つ以上の潜在的に干渉するＢＳの少なくとも１つからの送信に使用される、制限されたセットのシステムパラメータに関する情報を決定するための手段と、当該情報をユーザ装置（ＵＥ）にシグナリングするための手段とを含む。
【００１１】
［００１１］本開示のある種の側面はユーザ装置（ＵＥ）による無線通信のための装置を提供する。装置は概してサービングＢＳあるいは１つ以上の潜在的に干渉するＢＳの少なくとも１つからの送信に使用される、制限されたセットのシステムパラメータに関する情報のシグナリングを受信するための手段と、１つ以上の潜在的に干渉するＢＳまたはサービングＢＳからの送信による干渉を抑制するために当該情報を使用するための手段を含む。
【００１２】
［００１２］本開示のある種の側面はサービング基地局（ＢＳ）による無線通信のための装置を提供する。装置は概してサービングＢＳあるいは１つ以上の潜在的に干渉するＢＳの少なくとも１つからの送信に使用される、制限されたセットのシステムパラメータに関する情報を決定し、当該情報をユーザ装置（ＵＥ）にシグナリングするように構成された少なくとも１つのプロセッサを含む。また、装置は少なくとも１つのプロセッサに結合されたメモリを含む。
【００１３】
［００１３］本開示のある種の側面はユーザ装置（ＵＥ）による無線通信のための装置を提供する。装置は概してサービングＢＳあるいは１つ以上の潜在的に干渉するＢＳの少なくとも１つからの送信に使用される、制限されたセットのシステムパラメータに関する情報のシグナリングを受信し、１つ以上の潜在的に干渉するＢＳまたはサービングＢＳからの送信による干渉を抑制するために当該情報を使用するように構成された少なくとも１つのプロセッサを含む。また、装置は少なくとも１つのプロセッサに結合されたメモリを含む。
【００１４】
［００１４］本開示のある種の側面は、サービング基地局による無線通信のためのコンピュータプログラムプロダクトを提供する。コンピュータプログラムプロダクトは概してそれに記憶された命令を有するコンピュータ読み取り可能な媒体を含み、前記命令は、サービングＢＳあるいは１つ以上の潜在的に干渉するＢＳの少なくとも１つからの送信に使用される、制限されたセットのシステムパラメータに関する情報を決定し、当該情報をユーザ装置（ＵＥ）にシグナリングするために、１つ以上のプロセッサによって実行可能である。
【００１５】
［００１５］本開示のある種の側面は、ユーザ装置（ＵＥ）による無線通信のためのコンピュータプログラムプロダクトを提供する。コンピュータプログラムプロダクトは概してそれに記憶された命令を有するコンピュータ読み取り可能な媒体を含み、前記命令は、サービングＢＳあるいは１つ以上の潜在的に干渉するＢＳの少なくとも１つからの送信に使用される、制限されたセットのシステムパラメータに関する情報のシグナリングを受信し、１つ以上の潜在的に干渉するＢＳまたはサービングＢＳからの送信による干渉を抑制するために当該情報を使用するための１つ以上のプロセッサによって実行可能である。
【００１６】
［００１６］開示の種々の側面および特徴は以下でさらに詳細に記述される。
【図面の簡単な説明】
【００１７】
［００１７］本開示の上記した特徴を詳細に理解できる方法を詳細に理解できるように、簡単に上で要約された、より詳細な記述が、一部添付の図面において示された側面を参照してなされる。しかしながら、添付の図面はこの開示のある種の一般的な側面のみを示すものであり、当該記述は他の等しく効果的な側面をも認めるのでその範囲を制限するものと考えられるべきではない。
【図１】［００１８］図１は、開示のある側面にしたがった、ネットワークアーキテクチャの一例を示す図である。
【図２】［００１９］図２は、開示のある側面にしたがった、アクセスネットワークの一例を示す図である。
【図３】［００２０］図３は、開示のある側面にしたがった、ロングタームエボルーション（ＬＴＥ）におけるダウンリンク（ＤＬ）フレーム構造の一例を示す図である。
【図４】［００２１］図４は、開示のある側面にしたがった、ＬＴＥにおけるアップリンク（ＵＬ）フレーム構造の一例を示す図である。
【図５】［００２２］図５は、開示のある側面にしたがった、ユーザプレーンおよび制御プレーンに関する無線プロトコルアーキテクチャの一例を示す図である。
【図６】［００２３］図６は、開示のある側面にしたがった、アクセスネットワークにおける、発展型ノードＢ（ｅＮＢ）およびユーザ装置（ＵＥ）の一例を示す図である。
【図７】［００２４］図７は、開示のある側面にしたがった、単一周波数ネットワーク（ＭＢＳＦＮ）上のマルチメディアブロードキャストにおける発展型マルチキャストブロードキャストマルチメディアサービス（ｅＭＢＭＳ）を示す図である。
【図８】［００２５］図８は、本開示のある側面にしたがった、無線通信システムの例示的構成要素を示す。
【図９】［００２６］図９は、本開示のある側面にしたがった、基地局（ＢＳ）によって実行される無線通信に関する例示的動作を示すフロー図を示す。
【図１０】［００２７］図１０は、本開示のある側面にしたがった、ＵＥにより実行される無線通信に関する例示的動作を示すフロー図を示す。
【発明を実施するための形態】
【００１８】
［００２８］システム動作パラメータおよび効率的なシグナリングのために制限されたセットのパラメータを受信器に送信するために、技術及び装置がここに提供される。本開示のある側面によれば、サービングセルは、セルおよび潜在的に干渉する隣接セルに関する、制限されたセットのシステム動作パラメータを決定することができる。サービングセルは制限されたセットのシステム動作パラメータを干渉管理すなわちより効率的なシグナリングのために使用すべく受信機にシグナリングする。
【００１９】
［００２９］添付の図面に関連して以下に記述される詳細な説明は、種々の構成の記述として意図されており、ここに記述される概念が実施される構成のみを表すことを意図するものではない。詳細な記述は種々の概念の完全な理解を提供するための特別な詳細を含む。しかしながら、これらの概念はこれら特別な詳細なしに実施することができる。一部の場合において、既知の構造および構成要素はそのような概念があいまいになるのを避けるためにブロック図の形態で示される。
【００２０】
［００３０］遠隔通信システムのいくつかの側面が種々の装置および方法に関連して提示される。装置および方法は次の詳細な説明において記述されるとともに、種々のブロック、モジュール、コンポーネント、回路、ステップ、プロセス、アルゴリズム（“要素”と総称される）などによって添付の図面において示される。これらの要素はハードウェア、ソフトウェア／ファームウェア、あるいはそれらの組み合わせを使用して実装されることができる。そのような要素がハードウェアとあるいはソフトウェアとして実装されるかは特定のアプリケーションおよびシステム全体に課せられる設計上の拘束に依存する。
【００２１】
［００３１］例として、要素、あるいは要素の任意の部分、あるいは要素の任意の組み合わせは、１つ以上のプロセッサを含む“処理システム”によって実装されることができる。プロセッサの例はマイクロプロセッサ、マイクロコントローラ、デジタルシグナルプロセッサ（ＤＳＰ）、フィールドプログラマブルゲートアレイ（ＦＰＧＡ）、プログラマブルロジックアレイ（ＰＬＤ）、状態機械、ゲーテッドロジック、離散ハードウェア回路、およびこの開示を通して記述された種々の機能を実行するように構成された他の適切なハードウェアを含む。処理システムにおける１つ以上のプロセッサはソフトウェアを実行することができる。ソフトウェアは、ソフトウェア／ファームウェア、ミドルウェア、マイクロコード、ハードウェア記述ランゲージあるいはその他どのように呼ばれようと、命令、命令セット、コード、コードセグメント、プログラムコード、プログラム、サブプログラム、ソフトウェアモジュール、アプリケーション、ソフトウェアプリケーション、ソフトウェアパッケージ、ルーチン、サブルーチン、オブジェクト、実行可能物、実行のスレッド、プロシージャ、ファクション、などを意味するものとして広範に解釈されるべきである。
【００２２】
［００３２］したがって、１つ以上の例示的実施形態において、記述される機能は、ハードウェア、ソフトウェア／ファームウェア、あるいはそれらの組み合わせにおいて実装されることができる。ソフトウェアとして実装されるならば、機能はコンピュータ読み取り可能な媒体上に１つ以上の命令あるいはコードとして記憶あるいは符号化されることができる。コンピュータ読み取り可能な媒体はコンピュータ記憶媒体を含む。記憶媒体はコンピュータによってアクセス可能な任意の利用可能な媒体であることができる。例において、そのようなコンピュータ読み取り可能な媒体はＲＡＭ、ＲＯＭ、ＥＥＰＲＯＭ、ＣＤ−ＲＯＭあるいは他の光ディスク記憶、磁気ディスクあるいは他の磁気記憶装置あるいは、命令の形態の所望のプログラムコード、あるいはコンピュータによってアクセス可能なデータ構造を搬送あるいは記憶するのに使用可能な他の媒体を備えることができる。ここにおいて使用されているように、ディスク（Ｄｉｓｋ）およびディスク（Ｄｉｓｃ）は、コンパクトディスク（ＣＤ）、レーザーディスク（登録商標）、光ディスク、デジタルバサタイルディスク（ＤＶＤ）、フロッピー（登録商標）ディスク、ブルーレイディスクを含み、ディスク（Ｄｉｓｋ）は通常データを磁気的に再生するのに対してディスク（Ｄｉｓｃ）はレーザによって光学的にデータを再生する。また、上記の組み合わせはコンピュータ読み取り可能な媒体の範囲に含まれるべきである。
【００２３】
例示的無線通信ネットワーク
［００３３］図１はロングタームエボルーション（ＬＴＥ）ネットワークアーキテクチャ１００を示す図である。ＬＴＥネットワークアーキテクチャ１００は発展型システム（ＥＰＳ）１００と呼ぶことができる。ＥＰＳ１００は１つ以上のユーザ装置（ＵＥ）１０２、発展型ＬＭＴＳ地上無線アクセスネットワーク（Ｅ−ＵＴＲＡＮ）１０４、発展型パケットコア（ＥＰＣ）１１０、ホームサブスクライバサーバ（ＨＳＳ）１２０、そしてオペレータのＩＰサービス１２２を含むことができる。ＥＰＳは他のアクセスネットワークと連結可能であるが、説明の簡単さのためにこれらのエンティティ／インタフェースについては示さない。例示的他のアクセスネットワークはＩＰマルチメディアサブシステム（ＩＭＳ）ＰＤＮ、インターネットＰＤＮ、管理的ＰＤＮ（例えば予備的ＰＤＮ）、キャリア特定ＰＤＮ、オペレータ特定ＰＤＮ、および／またはＧＰＳ  ＰＤＮを含むことができる。示されるように、ＥＰＳはパケット交換サービスを提供するが、当業者ならば、この開示を通して提示された種々の概念は回線交換サービスを提供するネットワークに拡張することができることを容易に認識するであろう。
【００２４】
［００３４］Ｅ−ＵＴＲＡＮは発展型ノード（ｅＮＢ）１０６および他のｅＮＢ１０８を含む。ｅＮＢ１０６はＵＥ１０２に対してユーザおよび制御プレーンプロトコル終端（termination）を提供する。ｅＮＢ１０６はＸ２インタフェース（例えばバックホール）を介して他のｅＮＢ１０８に接続することができる。ｅＮＢ１０６はまた基地局、基地トランシーバ局、無線基地局、無線トランシーバ、トランシーバ機能、基地サービスセット（ＢＳＳ）、拡張されたサービスセット（ＥＳＳ）あるいはいくつかの他の適切な術語で呼ぶことができる。ｅＮＢ１０６はＵＥ１０２に関してＥＰＣ１１０に対するアクセスポイントを提供する。ＵＥ１０２の例はセルラフォーン、スマートフォーン、セッションイニシエーションプロトコル（ＳＩＰ）フォーン、ラップトップ、パーソナルデジタルアシスタント（ＰＤＡ）、衛星無線、グローバルポジショニングシステム、マルチメディアデバイス、ビデオフォーン、デジタルオーディオプレーヤ（例えばＭＰ３プレーヤ）、カメラ、ゲームコンソール、タブレット、ネットブック、スマートブック、あるいは他の同様の機能装置を含む。ＵＥ１０２はまた当業者にモバイル局、サブスクライバ局、モバイルユニット、サブスクライバユニット、無線ユニット、遠隔ユニット、モバイル装置、無線装置、無線通信装置、遠隔装置、モバイルサブスクライバ局、アクセス端末、モバイル端末、無線端末、遠隔端末、ハンドセット、ユーザエージェント、モバイルクライアント、クライアント、あるいはいくつかの他の適切な術語で呼ぶことができる。
【００２５】
［００３５］ｅＮＢ１０６はＳ１インタフェースを介してＥＰＣ１１０に接続される。ＥＰＣ１１０はモビリティ管理エンティティ（ＭＭＥ）１１２、他のＭＭＥ１１４、サービングゲートウエイ１１６、そしてパケットデータネットワーク（ＰＤＮ）ゲートウエイ１１８を含む。ＭＭＥ１１２はＵＥ１０２とＥＰＣ１１０間のシグナリングを処理する制御ノードである。概してＭＭＥ１１２はベアラおよびコネクション管理を提供する。すべてのユーザＩＰパケットはサービングゲートウエイ１１６を介して転送され、それ自身はＰＤＮゲートウエイ１１８に接続される。ＰＤＮゲートウエイ１１８はＵＥ  ＩＰアドレス割り当てとともに他の機能を提供する。ＰＤＮゲートウエイ１１８はオペレータのＩＰサービス１２２に接続されている。オペレータのＩＰサービス１１２は例えば、インターネット、イントラネット、ＩＰマルチメディアサブシステム（ＩＭＳ）そしてＰＳストリーミングサービス（ＰＳＳ）を含むことができる。このようにして、ＵＥ１０２はＬＴＥネットワークを通してＰＤＮに結合されることができる。
【００２６】
［００３６］図２はＬＴＥネットワークアーキテクチャにおけるアクセスネットワーク２００の例を示す図である。この例では、アクセスネットワーク２００は多数のセルラ領域（セル）２０２に分割される。１つ以上の低電力クラスｅＮＢ２０８はセル２０２の１つ以上と重複するセルラ領域２１０を有することができる。低電力クラスｅＮＢ２０８は遠隔無線ヘッド（ＲＲＨ）と呼ばれる。低電力クラスｅＮＢ２０８はフェムトセル（例えばホームｅＮＢ（ＨｅＮＢ）、ピコセル、あるいはミクロセル）であることができる。マクロｅＮＢ２０４は各々、各セル２０２に割り当てられ、セル２０２内のすべてのＵＥ２０６に関してＥＰＣ１１０に対するアクセスポイントを提供するように構成される。アクセスネットワーク２００のこの例には中央コントローラが存在しないが、他の構成においては中央コントローラを使用することができる。ｅＮＢ２０４は、無線ベアラ制御、アドミッション制御、モビリティ制御、スケジューリング、セキュリティ、サービングゲートウエイ１１６に対する接続性を含むすべての無線関連機能を受け持つ。
【００２７】
［００３７］アクセスネットワーク２００によって使用される変調および多元接続スキームは展開されている特定の遠隔通信標準に依存している。ＬＴＥアプリケーションにおいて、周波数分割多重（ＦＤＤ）および時分割多重（ＴＤＤ）の両方をサポートするためにＤＬに関してＯＦＤＭが使用され、ＵＬに関してＳＣ−ＦＤＭＡが使用される。当業者ならば以下の詳細な説明から提示された種々の概念はＬＴＥアプリケーションに対して好適することを容易に認識するであろう。しかしながら、これらの概念は他の変調および多元接続技術を使用する他の遠隔標準に拡張することができる。例として、これらの概念はエボルーションデータオプティマイズド（ＥＶ−ＤＯ）あるいはウルトラモバイルブロードバンド（ＵＭＢ）に拡張することができる。ＥＶ−ＤＯおよびＵＭＢは標準のＣＤＭＡ２０００ファミリの一部として第３世代パートナーシッププロジェクト２（３ＧＰＰ２）によって発表されたエアインタフェース標準であり、モバイル局に対してブロードバンドインターネット接続を提供するためにＣＤＭＡを使用する。また、これらの概念は、ワイドバンドＣＤＭＡ（Ｗ−ＣＤＭＡ）を使用するユニバーサル地上無線アクセス（ＵＴＲＡ）およびＴＤ−ＳＣＤＭＡ、ＴＤＭＡを使用するモバイル通信（ＧＳＭ（登録商標））のためのグローバルシステム、そして発展型ＵＴＲＡ（Ｅ−ＵＴＲＡ）、ウルトラモバイルブロードバンド（ＵＭＢ）、ＩＥＥＥ８８０２．１６（ＷｉＭＡＸ）、ＩＥＥＥ８０２．２０、そしてＯＦＤＭＡを使用するフラッシュＯＦＤＭなどのＣＤＭＡの他の分派に拡張することができる。ＵＴＲＡ、Ｅ−ＵＴＲＡ、ＵＭＩＴＳ、ＬＴＥそしてＧＳＭは３ＧＰＰ機構からの文書に記述されている。ＣＤＭＡ２０００およびＵＭＢは３ＧＰＰ２機構からの文書に記述されている。使用される実際の無線通信標準および多元接続技術は、特定のアプリケーションおよびシステムに課せられた全体的な設計上の制約に依存する。
【００２８】
［００３８］ｅＮＢ２０４はＭＩＭＯ技術をサポートする多元アンテナを有することができる。ＭＩＭＯ技術の使用はｅＮＢ２０４が、空間多重、ビームフォーミング、そして送信ダイバーシティをサポートするために空間領域を利用することを可能にする。空間多重は同じ周波数に関してデータの異なるストリームを同時に送信するのに使用することができる。データストリームはデータレートを増大するべく単一のＵＥ２０６に送信されるとともに、全体のシステム容量を増大するために多元ＵＥ２０６に送信される。これは各データストリームを空間的にプレコーディング（すなわち振幅および位相のスケーリングを適用する）し、次に、各空間的にプレコーディングされたＤＬに関するストリームを多元送信アンテナを介して送信することによって達成される。空間的にプレコーディングされたデータストリームは異なる空間シグネチャー（記号）でＵＥ２０６に到着するが、このことは、ＵＥ２０６の各々が当該ＵＥ２０６に向けられた１つ以上のデータストリームを復元することを可能にする。ＵＬに関して、各ＵＥ２０６は空間的にプレコーディングされたデータストリームを送信し、ｅＮＢ２０４が各空間的にプレコーディングされたデータストリームのソースを特定することを可能にする。
【００２９】
［００３９］空間多重は概してチャネル状態が良好なときに使用される。チャネル状態が良くないときには、送信エネルギを１つ以上の方向に収束するためにビームフォーミングが使用することができる。これは多重アンテナを介して送信のためのデータを空間的にプレコーディングすることによって達成される。セルの端部で良好なカバレージを達成するために、単一ストリームビームフォーミング送信が送信ダイバーシティと組み合わせて用いられる。
【００３０】
［００４０］以下の詳細な説明において、アクセスネットワークの種々の側面がＤＬに関してＯＦＤＭを支持するＭＩＭＯシステムを参照して説明される。ＯＦＤＭはＯＦＤＭシンボル内の多数のサブキャリアにわたってデータを変調するスペクトル拡散技術である。サブキャリアは正確な周波数で離間配置される。間隔は受信機がサブキャリアからデータを復元可能にする“直交性”を提供する。時間領域において、ＯＦＤＭシンボル間干渉に対処するために各ＯＦＤＭシンボルにガードインターバル（例えばサイクリックプリフィックス）を追加することができる。ＵＬは高いピーク対平均電力比（ＰＡＰＲ）を補償するためにＤＦＴ拡散ＯＦＤＭ信号の形態のＳＣ−ＦＤＭＡを使用することができる。
【００３１】
［００４１］図３はＬＴＥにおけるＤＬフレーム構造の一例を示す図３００である。フレーム（１０ｍｓ）は０から９のインデックスを有する１０個の等しいサイズのサブフレームに分割することができる。各サブフレームは２つの連続するタイムスリットを含む。２つのタイムスロットを表示するためにリソースグリッドを使用することができ、各タイムスロットはリソースブロックを含む。リソースグリッドは複数のリソース要素に分割することができる。ＬＴＥにおいてリソースブロックは周波数領域において１２個の連続するサブキャリアを含み、各ＯＦＤＭシンボルにおける普通のサイクリックプリフィックスに関して、時間領域において７個の連続するＯＦＤＭシンボル、あるいは８４個のリソース要素を含む。拡張されたサイクリックプリフィックスに関して、リソースブロックは時間領域において６個の連続するＯＦＤＭシンボルを含み、７２個のリソース要素を有する。Ｒ  ３０２、３０４で示されるように、リソース要素の一部は、ＤＬ基準信号（ＤＬ−ＲＳ）を含む。ＤＬ−ＲＳはセル特定ＲＳ（ＣＲＳ）（しばしば共通ＲＳと呼ばれる）およびＵＥ特定ＲＳ（ＵＥ−ＲＳ）３０４を含む。ＵＥ−ＲＳ３０４は、対応する物理的ＤＬ共有チャネル（ＰＤＳＣＨ）がマッピングされるリソースブロックに関してのみ送信される。リソース要素によって搬送されるビットの数は変調方向に依存する。すなわち、ＵＥがより多くのリソースブロックを受信するほど、変報方法は高次になり、ＵＥに関するデータレートはより高くなる。
【００３２】
［００４２］ＬＴＥにおいて、ｅＮＢは、ｅＮＢにおける各セルに関して一次同期信号（ＰＳＳ）および二次同期信号（ＳＳＳ）を送信することができる。一次および二次同期信号は、通常のサイクリックプリフィックス（ＣＰ）を有する各無線フレームのサブフレーム０および５の各々において、シンボル周期６および５においてそれぞれ送信される。同期信号はセル検出および獲得のためにＵＥによって使用されることができる。ｅＮＢはサブフレーム０のスロット１におけるシンボル周期０から３においてフィジカルブロードキャストチャネル（ＰＢＣＨ）を送信することができる。ＰＢＣＨはあるシステム情報を所持することができる。
【００３３】
［００４３］ｅＮＢは各サブフレームの第１のシンボル周期においてフィジカルコントロールフォーマットインジケータチャネル（ＰＣＦＩＣＨ）を送信することができる。ＰＣＦＩＣＨはコントロールチャネルに関して使用されるシンボル周期（Ｍ）の数を搬送することができ、Ｍは１、２、あるいは３であり、サブフレームごとに異なることができる。また、Ｍは、例えば１０個のリソースブロック未満の小さなシステム帯域に対して４に等しくすることができる。ｅＮＢは各サブフレームの第１のＭシンボル周期において、フィジカルＨＡＲＱインジケータチャネル（ＰＨＩＣＨ）およびフィジカルダウンリンクコントロールチャネル（ＰＤＣＣＨ）を送信することができる。ＰＨＩＣＨはハイブリッド自動反復要求（ＨＡＲＱ）を支持するための情報を所持することができる。ＰＤＣＣＨはＵＥに対してリソース割り当てに関する情報およびダウンリンクチャネルに関する制御情報を所持することができる。ｅＮＢは各サブフレームの残りのシンボル周期におけるフィジカルダウンリンク共有チャネル（ＰＤＳＣＨ）を送信することができる。ＰＤＳＣＨはダウンリンクに関するデータ送信のためにスケジューリングされたＵＥのためのデータを所持することができる。
【００３４】
［００４４］ｅＮＢは、ｅＮＢによって使用されるシステム帯域の中央１．０８ＭＨｚにおいてＰＳＳ、ＳＳＳ、ＰＢＣＨを送信することができる。ｅＮＢはこれらのチャネルが送信される各シンボル周期においてシステム全体の帯域を横切ってＰＣＦＩＣＨおよびＰＨＩＣＨを送信することができる。ｅＮＢはシステム帯域のある部分においてＵＥのグループにＰＤＣＣＨを送信することができる。ｅＮＢはシステム帯域の特定部分においてＰＤＳＣＨを特定のＵＥに送信することができる。ｅＮＢはＰＳＳ、ＳＳＳ、ＰＢＣＨ、ＰＣＦＩＣＨおよびＰＨＩＣＨを一斉放送の形ですべてのＵＥに送信し、ＰＤＣＣＨをユニキャストの形で特定のＵＥに送信し、さらにＰＤＳＣＨをユニキャストの形で特定のＵＥに送信することができる。
【００３５】
［００４５］多くのリソース要素が各シンボル周期において利用可能である。各リソース要素（ＲＥ）は１つのシンボル周期において１つのサブキャリアをカバーし、１つの変調シンボルを送信するのに使用され、実数あるいは複素数であることができる。各シンボル周期における基準信号に関して使用されないリソース要素は、リソース要素グループ（ＲＥＧ）に配列されることができる。各ＲＥＧは１つのシンボル周期において４つのリソース要素を含むことができる。ＰＣＦＩＣＨは４つのＲＥＧを占有することができ、シンボル周期０において、周波数にわたってほぼ均等に配置されることができる。ＰＨＩＣＨは３つのＲＥＧを占有することができ、１つ以上の構成可能なシンボル周期において、周波数を横切って拡散することができる。例えば、ＰＨＩＣＨに関する３つのＲＥＧはすべてシンボル周期０に属し、あるいはシンボル周期０、１および２において拡散されることができる。ＰＤＣＣＨは９、１８、３６あるいは７２のＲＥＧを占有することができ、例えば第１のＭシンボル周期において、利用可能なＲＥＧから選択されることができる。ＰＤＣＣＨに関してＲＥＧのある組み合わせのみが許可されることができる。
【００３６】
［００４６］ＵＥはＰＨＩＣＨおよびＰＣＦＩＣＨに対して使用される特定のＲＥＧを知っている。ＵＥはＰＤＣＣＨに関して異なる組み合わせを探索することができる。探索する組み合わせの数は概してＰＤＣＣＨに関して許可された組み合わせの数よりも少なくすることができる。ｅＮＢはＵＥが探索する組み合わせのいくつかにおいてＰＤＣＣＨをＵＥに送信することができる。
【００３７】
［００４７］図４は、ＬＴＥにおけるＵＬフレーム構造の一例を示す図４００である。ＵＬに関して利用可能なリソースブロックはデータ部と制御部とに分割されることができる。制御部はシステム帯域の２つの端部で形成されることができ、構成可能なサイズを有することができる。制御部におけるリソースブロックは制御情報の送信のためにＵＥに割り当てられることができる。データ部は制御部に含まれないすべてのリソースブロックを含むことができる。ＵＬフレーム構造はデータ部に隣接するサブキャリアを含むことになり、単一ＵＥをデータ部におけるすべての隣接するサブキャリアに割り当てることを可能にする。
【００３８】
［００４８］ＵＥは制御情報をｅＮＢに送信するために制御部においてリソースブロック４１０ａ、４１０ｂ、を割り当てることができる。また、ＵＥはデータをｅＮＢに送信するためにデータ部においてリソースブロック４２０ａ、４２０ｂを割り当てることができる。ＵＥは制御部における割り当てられたリソースブロックに関してフィジカルＵＬコントロールチャネル（ＰＵＣＣＨ）において制御情報を送信することができる。ＵＥはデータ部における割り当てられたリソースブロックに関してフィジカルＵＬ共有チャネル（ＰＵＳＣＨ）においてデータのみあるいはデータおよび制御情報の両方を送信することができる。ＵＬ送信はサブフレームの両方のスロットに及ぶ（span）ことができ、周波数にわたってホッピングすることができる。
【００３９】
［００４９］一組のリソースブロックは初期のシステムアクセスを実行するのに使用され、フィジカルランダムアクセスチャネル（ＰＲＡＣＨ）４３０においてＵＬ同期を達成することができる。ＰＲＡＣＨ４３０はランダムシーケンスを所持し、ＵＬデータ／シグナリングを所持することができない。各ランダムアクセスプリアンブルは６個の連続するリソースブロックに対応する帯域を占有する。開始周波数はネットワークによって特定される。すなわち、ランダムアクセスプレアンブルの送信はある時間および周波数リソースに制限される。ＰＲＡＣＨに関して周波数ホッピングは存在しない。ＰＲＡＣＨ企て（attempt）は単一のサブフレーム（１ｍｓ）においてあるいは一連のわずかな隣接するサブフレームにおいて搬送され、ＵＥはフレーム（１０ｍｓ）あたり単一のＰＲＡＣＨ企てのみを作成することができる。
【００４０】
［００５０］図５は、ＬＴＥにおけるユーザおよび制御プレーンに関する無線プロトコルアーキテクチャの一例を示す図５００である。ＵＥおよびｅＮＢに関する無線プロトコルアーキテクチャはレイヤ１、レイヤ２そしてレイヤ３の３つのレイヤで示される。レイヤ１（Ｌ１レイヤ）は最低のレイヤであり、種々の物理層信号処理機能を実装する。Ｌ１レイヤはここでは物理レイヤ５０６と呼ぶことができる。レイヤ２（Ｌ２レイヤ）は物理レイヤ５０６より上にあり、物理レイヤ５０６上のＵＥおよびｅＮＢ間のリンクに関する役目を受け持つ。
【００４１】
［００５１］ユーザプレーンにおいて、Ｌ２レイヤ５０８はメディアアクセスコントロール（ＭＡＣ）サブレイヤ５１０、無線リンクコントロール（ＲＬＣ）サブレイヤ５１２、そしてパケットデータコンバージェンスプロトコル（ＰＤＣＰ）５１４サブレイヤを含み、ネットワーク側のｅＮＢで停止される。示されないが、ＵＥは、Ｌ２レイヤ５０８より上にいくつかの上位レイヤを有することができ、ネットワーク側に関してＰＤＮゲートウエイ１１８で終端するネットワークレイヤ（例えばＩＰレイヤ）および、コネクションの他の端部（例えば遠方のＵＥ、サーバなど）で終端するアプリケーションレイヤを含む。
【００４２】
［００５２］ＰＤＣＰサブレイヤ５１４は異なる無線ベアラと論理チャネル間に多重を提供する。また、ＰＤＣＰサブレイヤ５１４は、無線送信オーバヘッドを低減するためにアッパレイヤデータパケットに対するヘッダ圧縮、データパケットを暗号化することによる安全性およびｅＮＢ間のＵＥに関するハンドオーバサポートを提供する。ＲＬＣサブレイヤ５１２はアッパレイヤデータパケットの分割および再組立て、失われたデータパケットの再送信、ハイブリッド自動反復要求（ＨＡＲＱ）による順番違い（out of order）の受信を補償するためのデータパケットの再配列、を提供する。ＭＡＣサブレイヤ５１０は論理および転送チャネル間に多重を提供する。また、ＭＡＣサブレイヤ５１０はＵＥ間の１つのセルにおいて種々の無線リソース（例えばリソースブロック）を割り当てる役目を受け持つ。また、ＭＡＣサブレイヤ５１０はＨＡＲＱ動作を受け持つ。
【００４３】
［００５３］制御プレーンにおいて、ＵＥおよびｅＮＢに対する無線プロトコルアーキテクチャは、制御プレーンに関してヘッダ圧縮がない点を除いて、物理レイヤ５０６およびＬ２レイヤ５０８に関して実質的に同じである。また、制御プレーンはレイヤ３（Ｌ３レイヤ）における無線リソースコントロール（ＲＲＣ）サブレイヤ５１６を含む。ＲＲＣサブレイヤ５１６は無線リソース（すなわち無線ベアラ）を獲得するとともにｅＮＢおよびＵＥ間のＲＲＣシグナリングを用いて低いレイヤを構成する役目を受け持つ。
【００４４】
［００５４］図６はアクセスネットワークにおいてＵＥ６５０と通信するｅＮＢ６１０のブロック図である。ＤＬにおいて、コアネットワークからのアッパレイヤパケットはコントローラ／プロセッサ６７５に供給される。コントローラ／プロセッサ６７５はＬ２レイヤの機能を実装する。ＤＬにおいて、コントローラ／プロセッサ６７５はヘッダ圧縮、暗号化、パケット分割および再配列、論理および転送チャネル間の多重化、および種々の優先メトリックに基づくＵＥ６５０に対する無線リソース割り当て、を提供する。また、コントローラ／プロセッサ６７５はＨＡＲＱ動作、失われたパケットの再送信、およびＵＥ６５０に対するシグナリングを行う役目をもつ。
【００４５】
［００５５］ＴＸプロセッサ６１６はＬ１レイヤ（例えば物理レイヤ）に関する種々の信号処理機能を実装する。信号処理機能はＵＥ６５０で前方向エラー補正（ＦＥＣ）を確立するためのコーディングおよびインタリービング、種々の変調方法（例えば二進位相シフトキーイング（ＢＰＳＫ）、直交位相シフトキーイング（ＱＰＳＫ）、Ｍ位相シフトキーイング（Ｍ−ＰＳＫ）、Ｍ直交振幅変調（Ｍ−ＱＡＭ）に基づく信号コンスタレーションへのマッピング、を含む。コーディングおよび変調されたシンボルは次に並列ストリームに分割される。各ストリームは次にＯＦＤＭサブキャリアにマッピングされ、時間および／または周波数領域において基準信号（例えばパイロット）により多重化され、次に逆高速フーリエ変換（ＩＦＦＴ）を使用して組み合わされて、時間領域ＯＦＤＭシンボルストリームを所持する物理チャネルを生成する。ＯＦＤＭストリームは多元空間ストリームを生成するために空間的にプレコーディングされる。チャネル推定器６７４からのチャネル推定値は、コーディングおよび変調方法を決定するためにおよび空間処理のために使用されることができる。チャネル推定値は基準信号および／またはＵＥ６５０によって送信されるチャネル状態フィードバックから引き出される。次に各空間ストリームは個別の送信機６１８ＴＸを介して異なるアンテナ６２０に供給される。各送信機６１８ＴＸは送信のために各空間ストリームによってＲＦキャリアを変調する。
【００４６】
［００５６］ＵＥ６５０で、各受信機６５４ＲＸはその各々のアンテナ６５２を介して信号を受信する。各受信機６５４ＲＸはＲＦキャリア上に変調された情報を復元して当該情報を受信機（ＲＸ）プロセッサ６５６に供給する。ＲＸプロセッサ６５６はＬ１レイヤの種々の信号処理機能を実装する。ＲＸプロセッサ６５６は情報に関して空間処理を実行してＵＥ６５０に向けられた空間ストリームを復元する。多元空間ストリームはＵＥ６５０に向けられるならば、それらはＲＸプロセッサ６５６によって組み合わされて単一のＯＦＤＭシンボルストリームになる。次にＲＸプロセッサ６５６は高速フーリエ変換（ＦＦＴ）を使用してＯＦＤＭストリームを時間領域から周波数領域に変換する。周波数領域信号はＯＦＤＭ信号の各サブキャリアに関して別個のＯＦＤＭシンボルストリームを備える。各サブキャリア上のシンボルおよび基準信号は復元されてｅＮＢ６１０によって送信された最尤信号コンスタレーション点を決定することによって復調される。これらのソフト判定値はチャネル推定器６５８によって計算されるチャネル推定値に基づくことができる。次にソフト判定値は復号されてインタリービングされ、物理チャネル上でｅＮＢ６１０によってもともと送信されたデータおよび制御信号が復元される。次にデータおよび制御信号はコントローラ／プロセッサ６５９に供給される。
【００４７】
［００５７］コントローラ／プロセッサ６５９はＬ２レイヤを実装する。コントローラ／プロセッサはプログラムコードおよびデータを記憶するメモリ６６０に関連付けられる。メモリ６６０はコンピュータ読み取り可能な媒体と呼ばれることができる。ＵＬにおいて、コントローラ／プロセッサ６５９はトランスポートおよび論理チャネル間の非多重化、パケット再組立て、復号化、ヘッダ伸長、コアネットワークからのアッパレイヤパケットを復元するための制御信号処理、を提供する。次に、アッパレイヤパケットはＬ２レイヤより上のすべてのプロトコルレイヤを示すデータシンク６６２に供給される。また、Ｌ３処理のために種々の制御信号がデータシンク６６２に供給される。また、コントローラ／プロセッサ６５９はＨＡＲＱ動作を支持するために、肯定応答（ＡＣＫ）および／または否定応答（ＮＡＣＫ）プロトコルを使用したエラー検出を役目を受け持つ。
【００４８】
［００５８］ＵＬにおいて、データソース６６７はアッパレイヤパケットをコントローラ／プロセッサ６５９に供給するのに使用される。データソース６６７はＬ２レイヤより上のすべてのプロトコルレイヤを表す。ｅＮＢ６１０によるＤＬ送信に関連して記述された機能と同様に、コントローラ／プロセッサ６５９は、ヘッダ圧縮、暗号化、パケット分割そして再配列、そしてｅＮＢ６１０による無線資源の割り当てに基づく論理およびトランスポートチャネル間の多重化、によって、ユーザプレーンおよび制御プレーンに関するＬ２レイヤを実装する。また、コントローラ／プロセッサ６５９は、ＨＡＲＱ動作、失われたパケットの再送信、そしてｅＮＢ６１０へのシグナリングの役目を受け持つ。
【００４９】
［００５９］チャネル推定器６５８によって基準信号から引き出されたチャネル推定値およびｅＮＢ６１０によって送信されたフィードバックは、適切なコーディングおよび変調方法を選択するとともに、空間処理を確立するためにＴＸプロセッサ６６８によって使用されることができる。ＴＸプロセッサ６６８によって生成された空間ストリームは別個の送信機６５４ＴＸを介して異なるアンテナ６５２に供給される。各送信機６５４ＴＸは送信に関する各々の空間ストリームを用いてＲＦキャリアを変調する。
【００５０】
［００６０］ＵＬ送信は、ＵＥ６５０での受信機機能に関連して記述されたそれと同様の方法でｅＮＢ６１０で処理される。各受信機６１８ＲＸはその各アンテナ６２０を介して信号を受信する。各受信機６１８ＲＸはＲＦキャリア上に変調された情報を復元し、当該情報をＲＸプロセッサ６７０に供給する。ＲＸプロセッサ６７０はＬ１レイヤを実装することができる。
【００５１】
［００６１］コントローラ／プロセッサ６７５はＬ２レイヤを実装する。コントローラ／プロセッサ６７５はプログラムコードおよびデータを記憶するメモリ６７６に関連付けることができる。メモリ６７６はコンピュータ読み取り可能な媒体と呼ばれる。ＵＬにおいて、コントローラ／プロセッサ６７５はトランスポートおよび論理チャネル間の非多重化、パケット再組立て、復号化、ヘッダ伸長、ＵＥ６５０からのアッパレイヤパケットを復元するための制御信号処理を提供する。コントローラ／プロセッサ６７５からのアッパレイヤパケットはコアネットワークに供給することができる。また、コントローラ／プロセッサ６７５はＨＡＲＱ動作を支持するためのＡＣＫおよび／またはＮＡＣＫを使用してエラー検出を行う役目を受け持つ。
【００５２】
［００６２］図７は単一周波数ネットワーク（ＭＢＳＦＮ）上のマルチメディアブロードキャストにおける発展型マルチキャストブロードキャストマルチメディアサービス（ｅＭＢＭＳ）を示す図７５０である。セル７５２’におけるｅＮＢ７５２は第１のＭＢＳＦＮ領域を形成するとともに、セル７５４’におけるｅＮＢ７５４は第２のＭＢＳＦＮ領域を形成する。ｅＮＢ７５２、７５４は例えば全部で８個のＭＢＳＦＮ領域まで、他のＭＢＳＦＮ領域と関連付けることができる。ＭＢＳＦＮ領域内のセルは予約セルを指定されることができる。予約セルはマルチメディア／ブロードキャストコンテンツを提供しないが、セル７５２’、７５４’に時間同期され、ＭＢＳＦＮ領域に対する干渉を制限するためにＭＢＳＦＮリソースに関して制限された電力を有する。ＭＢＳＦＮ領域における各ｅＮＢは同じｅＭＢＭＳ制御情報およびデータを同時に送信する。各領域はブロードキャスト、マルチキャスト、そしてユニキャストサービスを支持することができる。ユニキャストサービスは特定のユーザ例えば音声呼を意図したサービスである。マルチキャストサービスはユーザのグループ例えばサブスクリプションビデオサービスによって受信されることができるサービスである。ブロードキャストサービスは例えばニュースブロードキャストなどすべてのユーザによって受信されることができるサービスである。図７に関連して、第１のＭＢＳＦＮ領域は、例えば特定のニュースブロードキャストをＵＥ７７０に提供することによって、第１のｅＭＢＭＳブロードキャストサービスを支持することができる。第２のＭＢＳＦＮ領域は例えば異なるニュースブロードキャストをＵＥ７６０に供給することによって第２のｅＭＢＭＳブロードキャストサービスを支持することができる。各ＭＢＳＦＮ領域は複数の物理的マルチキャストチャネル（ＰＭＣＨ）（例えば１５ＰＭＣＨ）を支持する。各ＰＭＣＨはマルチキャストチャネル（ＭＣＨ）に対応する。各ＭＣＨは複数の（例えば２９）マルチキャスト論理チャネルを多重化することができる。各ＭＢＳＦＮ領域は１つのマルチキャストコントロールチャネル（ＭＣＣＨ）をもつことができる。したがって、１つのＭＣＨは１つのＭＣＣＨを多重化することができ、複数のマルチキャストトラフィックチャネル（ＭＴＣＨ）および残りのＭＣＨは複数のＭＴＣＨを多重化することができる。
【００５３】
送信制限及び効率的なシグナリングのための例示的方法および装置
［００６３］システム動作パラメータの制限および効率的なシグナリングのために制限されたセットのパラメータを受信機に送信するための技術および装置がここに提供される。本開示のある側面によれば、サービングセルはセルに関するおよび潜在的に干渉する隣接セルに関する、制限されたセットのシステム動作パラメータを決定することができる。サービングセルは干渉管理およびすなわちより効率的なシグナリングに使用すべき、制限されたセットのシステム動作パラメータを受信機にシグナリングすることができる。
【００５４】
［００６４］柔軟な動作を可能にするために、ロングタームエボルーション（ＬＴＥ）送信機は概して多くの動作パラメータオプションを備える。例えば、発展型ノードＢ（ｅＮＢ）は、８個の異なる、トラフィック対基準信号電力（ＴＰＲ）値および特定のユーザ装置（ＵＥ）に関して使用すべき１０個の送信モードを備えることができる。ｅＮＢはダウンリンクデータ送信に関して使用すべき４個のリソース割り当てタイプ（例えばタイプ０、タイプ１、タイプ２ローカライズド、タイプ２配布された）を備えることができる。
【００５５】
［００６５］受信機の観点から、干渉信号の特性を知ることは処理をより効率的にすることができる。例えば、ＬＴＥにおいて、ＵＥが、干渉セルはリソース割り当てタイプ２を使用しないことを知っているのであれば、ＵＥは１つのリソースブロック（ＲＢ）における両方のスロットにおいて基準信号を使用することによってより良い雑音推定を実行することができる。
【００５６】
［００６６］したがって、必要とされるのはＵＥに潜在的に干渉するセルによって使用される動作パラメータを通知するための技術である。
【００５７】
［００６７］送信機側で未使用のシステムパラメータの制限および／または排除および受信機に情報を搬送するためのシグナリングに関する技術がここに提供され、これによって受信機は受信機パフォーマンスを最適化するためにそのような制限／排除を利用することができる。
【００５８】
［００６８］図８は本開示のある側面に従った、無線通信システム８００の例示的コンポーネントを示す。示された例において、ＵＥ８０６はサービング基地局８０４と隣接している。潜在的に干渉する送信はダッシュ線で示されている。示されるように、システム８００は第１のセル（例えばＵＥ８０６とやり取りしている、比較的遠い基地局）の隣接する基地局８０２を含む。いくつかの場合において、サービングＢＳ８０４は隣接するＢＳのシステム動作パラメータに関する情報を収集するために隣接するＢＳ８０２からの送信を待つことができる。
【００５９】
［００６９］ある側面によれば、サービングＢＳ８０４および／または隣接するＢＳ（例えばＢＳ８０２）は制限されたセットのパラメータを利用することができる。制限は、意図する受信機（例えばＵＥ８０６など）に信号を送信するときに可能な値／モードの一部（subset）が使用されることを意味する。例えば、送信機は制限されたセットのＰａおよびＰｂ値を使用することができる。ＰａおよびＰｂ値は電力を調整するためにＬＴＥにおいて使用される。一側面において送信機（例えばＢＳ８０２あるいは８０４）は制限されたセットのＰａ値を使用することができる。送信機は８個の可能な値のうちＮ個のＰａ値のみのサブセットを使用することができる。ここでＮは８よりも大きくなく１よりも小さくない。側面において、送信機（例えばＢＳ８０２あるいは８０４）は制限されたセットのＰｂ値を使用することができる。送信機は４個の可能な値のうちＭ個のＰｂ値のみのサブセットを使用することができる。ここでＭは４よりも大きくなくかつ１よりも小さくない。
【００６０】
［００７０］ある側面によれば、直交位相シフトキーイング（ＱＰＳＫ）変調およびランク１送信が使用されるとき、制御およびデータに関するトラフィック対パイロット比（ＴＰＲ）の値は有限の数の値に制限されるかあるいはある範囲に制限される。側面において、ブロードキャスト送信に使用されるそれとは異なる、ユニキャスト送信に使用される、制限されたセットのパラメータが存在することができる。
【００６１】
［００７１］ある側面によれば、送信機（例えばＢＳ８０２あるいは８０４）は制限されたセットの送信モード（ＴＳ）を使用することができる。例えば、送信機は２×２システムに関してＴＭ２およびＴＭ３などの２つの送信モードのみを使用することができる。他の例において、送信機はＴＭ２、ＴＭ３およびＴＭ４などの３つの送信モードを使用することができる。他の例において、送信機はＴＭ２、ＴＭ３、ＴＭ４およびＴＭ８などの４つの送信モードを使用することができる。
【００６２】
［００７２］ある側面によれば、送信機（例えばＢＳ８０２あるいは８０４）は制限されたセットのリソース割り当てタイプを使用することができる。例えば、送信機はタイプ０およびタイプ２ローカライズドなどの２つのみのリソース割り当てタイプを使用することができる。他の例において、送信機はタイプ０、タイプ１およびタイプ２ローカライズドなどの３つのみのリソース割り当てタイプを使用することができる。
【００６３】
［００７３］ある側面によれば、種々のシステム動作モード／シナリオは動作パラメータのそのような制限および／または排除を引き起こすことができる。例えば、多重モードにおいて、フレーム構造タイプ１（ＦＳ１）においてＴＭ７は排除されるがＦＳ２において許可される。他の例において、タイプ２リソース割り当てタイプはブロードキャストチャネルに制限され、ユニキャストチャネル送信において許可されないようにすることができる。
【００６４】
［００７４］ある側面によれば、制限および／または排除は、サブフレームのサブセット、ハイブリッド自動反復要求（ＨＡＲＱ）プロセスのサブセット、あるいは特定の動作モードに適用することができる。例えば、ＵＥ（例えばＵＥ８０６）が２つのチャネル状態情報（ＣＳＩ）プロセス（例えばさらに強化（enhance）されたセル間干渉調整ＦｅＩＣＩＣ）に関して構成されるならば、これらの制限および／または排除を実行することができる。
【００６５】
［００７５］ある側面によれば、制限および／または排除は送信タイプ（例えばセル特定基準信号（ＣＲＳ）主体の送信あるいはＵＥ−ＲＳ主体の送信）に連結することができる。側面において、制限および／または排除はバーチャルセルＩＤ（ＶＣＩＤ）あるいは物理的セル特定（ＰＣＩ）に連結することができる。例えば、異なるＶＣＩＤあるいはＰＣＩに関してではなく、ＶＣＩＤあるいはＰＣＩに関して異なるセットの制限および／または排除を使用することができる。
【００６６】
［００７６］ある側面によれば、送信機（例えばＢＳ８０２あるいは８０４）はブロードキャストチャネル、無線リソース制御（ＲＲＣ）シグナリング、あるいはレイヤ１シグナリングを介して制限された／排除されたセットのパラメータを受信機（例えばＵＥ８０６）にシグナリングすることができる。側面において、パラメータはＢＳ間のバックホールを介してシグナリングすることができる。
【００６７】
［００７７］側面において、制限および／または排除はパラメータが許可されるかあるいは制限されるかを示すためにビットマップを使用してシグナリングすることができる。例えば、送信機（例えばＢＳ８０２あるいは８０４）は許可された送信モードをシグナリングするために１１個のビットを使用することができる。ここで各ビットは可能な送信モードを示す。側面において、送信機はテーブル内のどのエントリが使用されるかを示すためにインデックスを使用することができる。ここでテーブルは許可されたパラメータの異なる組み合わせを含む。一例において、インデックス番号０は、ＴＭ２およびＴＭ３は許可されたＴＭモードであり、０ｄＢおよび３ｄＢは許可されたＰａ値であることを示している。インデックス番号１はＴＭ２、ＴＭ４およびＴＭ８のＴＭモードは許可され、−３ｄＢおよび０ｄＢのＰａ値は許可されることを示している。他の例として、０のインデックス番号はＴＭ２およびＴＭ３のＴＭモードが許可され、０ｄＢおよび３ｄＢのＰａ値が許可され、タイプ０およびタイプ１のリソース割り当てタイプが許可されることを示している。１のインデックス番号は、ＴＭ２、ＴＭ４、そしてＴＭ８のＴＭモードが許可され、−３ｄＢおよび０ｄＢのＰａ値が許可され、タイプ１およびタイプ２のローカライズされたリソース割り当てタイプが許可されることを示している。他の例において、０のインデックス番号はＴＭ２およびＴＭ３モードが許可され、０ｄＢおよび３ｄＢのＰａ値が許可され、タイプ０およびタイプ１のリソース割り当てタイプが許可され、ＸおよびＹのバーチャルセルＩＤが許可されることを示している。１のインデックス番号はＴＭ２、ＴＭ４そしてＴＭ８のＴＭモードが許可され、−３ｄＢおよび０ｄＢのＰａ値が許可され、タイプ１およびタイプ２のローライズされたリソース割り当てタイプが許可され、Ｘ、ＹおよびＺのバーチャルセルＩＤが許可されることを示している。
【００６８】
［００７８］図９は本開示のある側面にしたがった、無線通信に関する例示的動作９００を示すフロー図を示す。動作９００は例えばサービングＢＳ（例えばＢＳ８０４）によって実行されることができる。動作９００は９０２で、サービングＢＳあるいは１つ以上の潜在的に干渉するＢＳの少なくとも１つからの送信に関して使用される、制限されたセットのシステムパラメータに関する情報を決定することによって開始されることができる。例えば、制限されたセットのシステムパラメータは、利用可能なトラフィック対基準信号電力（ＴＰＲ）値のサブセット、利用可能な送信モードのサブセット、および／または利用可能なリソース割り当てタイプのサブセットを含むことができる。側面において、制限されたセットのシステムパラメータは、サブフレームのサブセット、ＨＡＲＱプロセスのサブセットあるいは１つ以上の動作モードのサブセットに関して選択的に使用することができる。
【００６９】
［００７９］側面において、ＢＳは異なるタイプの送信（例えばユニキャスト、ブロードキャスト、ＣＲＳ主体の、および／またはＵＥ−ＲＳ主体の送信）に関して使用される異なる制限されたセットのシステムパラメータに関する情報を決定することができる。側面において、ＢＳは異なるセルＩＤ（例えばＶＣＩＤあるいはＰＣＩ）に関して使用される異なる制限されたセットのシステムパラメータに関する情報を決定することができる。
【００７０】
［００８０］９０４で、ＢＳはシグナリング（例えばＲＲＣ、レイヤ１、あるいはブロードキャストシグナリング）を介して情報をＵＥにシグナリングすることができる。ある側面によれば、シグナリングはｅＮＢ間のバックホールを介する。側面において、ＢＳは特定のパラメータが、送信に使用される制限されたセットのシステムパラメータの一部であるかを示すためにビットマップをシグナリングする。あるいは、ＢＳは複数のインデックス値から選択された、インデックス値をシグナリングすることができ、ここで各々は制限されたセットの中で許可できる（例えばシステムパラメータの異なるタイプの）システムパラメータの組み合わせを示している。側面において、各組み合わせは１つ以上の許可可能な送信モード、１つ以上の許可可能な送信電力値および／または１つ以上の許可可能なリソース割り当てタイプの、少なくとも２つを含むことができる。
【００７１】
［００８１］ある側面によれば、ＢＳはまず情報を決定して当該情報をＵＥにシグナリングすることを引き起こす１つ以上の状態を検出することができる。例えば、ＢＳは特定の多重モードの使用あるいは送信がブロードキャストであるかユニキャストであるかを決定することができる。
【００７２】
［００８２］図１０は本開示のある側面にしたがった、無線通信に関する例示的動作１０００を示すフロー図を示す。動作１０００はＵＥ（例えばＵＥ８０６）によって実行されることができる。動作１０００は１００２で、サービングＢＳあるいは１つ以上の潜在的に干渉するＢＳの少なくとも１つからの送信に関して使用される、制限されたセットのシステムパラメータに関する情報のシグナリング（例えばＲＲＣ、レイヤ１あるいはブロードキャストシグナリングを介して）を受信することによって開始される。例えば、制限されたセットのシステムパラメータは、利用可能なＴＰＲ値のサブセット、利用可能な送信モードのサブセット、および／または利用可能なリソース割り当てタイプのサブセットを含むことができる。側面において、制限されたセットのシステムパラメータは、サブフレームのサブセット、ＨＡＲＱプロセスのサブセットあるいは１つ以上の動作モードのサブセットに関して選択的に使用することができる。
【００７３】
［００８３］側面において、ＵＥは異なるタイプの送信（例えばユニキャスト、ブロードキャスト、ＣＲＳ主体のおよび／またはＵＥ−ＲＳ主体の送信）に関して使用される、異なる制限されたセットのシステムパラメータに関する情報を受信することができる。側面において、ＵＥは異なるセルＩＤ（異なるＶＣＩＤあるいはＰＣＩ）に関して使用される異なる制限されたセットのシステムパラメータに関する情報を受信することができる。
【００７４】
［００８４］ある側面によれば、決定は、ｅＮＢ間のバックホールを介してシグナリングを受信することを備える。側面において、ＵＥは特定のパラメータが送信に使用される、制限されたセットのシステムパラメータの一部であるかを示すためのビットマップを受信することができる。代替として、ＵＥは複数のインデックス値から選択された、インデックス値を受信することができ、各々は制限されたセットにおける許可可能なシステムの（例えば異なるタイプのシステムパラメータの）組み合わせを示す。側面において、各組み合わせは１つ以上の許可可能な送信モード、１つ以上の許可可能な送信電力値、および／または１つ以上の許可可能なリソース割り当てタイプの少なくとも２つを含むことができる。
【００７５】
［００８５］ある側面によれば、ＵＥはまず情報を決定して、当該情報をＵＥにシグナリングすることを引き起こす１つ以上の状態を検出する。例えば、ＵＥは特定の多重モードの利用あるいは、送信がブロードキャストかユニキャストかを検出することができる。
【００７６】
［００８６］１００４で、ＵＥは１つ以上の潜在的に干渉するＢＳあるいはサービングＢＳからの送信による干渉を抑制するための情報を使用することができる。
【００７７】
［００８７］開示されたプロセス中の特定の順番あるいはステップ階層は例示的方法の例示であることを理解すべきである。設計上の好みにしたがって、プロセス中の特定の順番あるいはステップ階層を再配列することができることを理解すべきである。さらには、一部のステップを組み合わせるかあるいは除くことができる。添付の方法クレームはサンプル順番における種々のステップの要素を提示するものであり、特定の順番あるいは提示された階層に制限されるものではない。
【００７８】
［００８８］ここに使用されたように、特許請求の範囲を含む、品目のリスト（例えば“少なくとも１つの”あるいは“１つ以上の”などのフレーズによって前置きされる品目のリスト）において使用される“または”は選言的なリストを示すものであり、これにより、例えば、“Ａ、Ｂ、あるいはＣの少なくとも１つ”のリストは、ＡまたはＢまたはＣまたはＡＢまたはＡＣまたはＢＣまたはＡＢＣ（すなわちＡおよびＢおよびＣ）を意味する。
【００７９】
［００８９］上記した記述は当業者がここに記述された種々の側面を実施することができるように提供された。当業者にとってこれらの側面に対する種々の変更が容易に可能であり、ここに定義された一般的な原理は他の側面に適用することができる。すなわち、特許請求の範囲はここに示される側面に制限されることを意図しておらず、言語クレームに合致した全範囲が付与されるべきである。単数における要素に対する参照は特別にそのように述べられないかぎり、“１つおよびただ１つ”を意味することを意図するものではなく、“１つ以上”を意図するものである。特別にそのように述べられないかぎり、術語“いくつかの”は１つ以上を意味する。当業者に知られたあるいは後に知られるようになったこの開示を通して記述された種々の側面の要素に対するすべての構造上のあるいは機能上の均等物は参照によってここに明示的に組み込まれるとともに、特許請求の範囲によって包囲されることを意図している。さらに、そのような開示が請求の範囲に明示的に記述されているかとは無関係にここに記述されたものはもっぱら公衆に用いられることを意図するものではない。要素が“のための手段”を用いて明示的に記述されないかぎり、特許請求の範囲の要素はミーンズプラスファンクションとして解釈されるべきではない。
以下に本願発明の当初の特許請求の範囲に記載された発明を付記する。
［Ｃ１］
サービング基地局（ＢＳ）による無線通信のための方法であって、
前記サービングＢＳあるいは１つ以上の潜在的に干渉するＢＳからの送信に使用される、制限されたセットのシステムパラメータに関する情報を決定することと、
前記情報をユーザ装置（ＵＥ）にシグナリングすることと、を備える方法。
［Ｃ２］
前記決定することはＢＳ間のバックホールを介して前記情報を受信することを備えるＣ１の方法。
［Ｃ３］
前記制限されたセットのシステムパラメータは、利用可能なトラフィックに対するパイロット（ＴＰＲ）値のサブセット、利用可能な送信モードのサブセット、あるいは利用可能なリソース割り当てタイプのサブセット、の少なくとも１つを含むＣ１の方法。
［Ｃ４］
前記制限されたセットのシステムパラメータは、サブフレームのサブセット、ハイブリッド自動反復要求（ＨＡＲＱ）プロセスのサブセット、あるいは１つ以上の動作モードのサブセット、のうちの少なくとも１つに関して選択的に使用されるＣ１の方法。
［Ｃ５］
前記シグナリングは、ブロードキャストシグナリング、無線リソース制御（ＲＲＣ）シグナリング、あるいはレイヤ１シグナリングの少なくとも１つを備えるＣ１の方法。
［Ｃ６］
前記情報は、特定のパラメータが送信に使用される、制限されたセットのシステムパラメータの一部であるかを示すためのビットマップを備えるＣ１の方法。
［Ｃ７］
前記情報は、複数のインデックス値から選択された、インデックス値を備え、各インデックス値は前記制限されたセットにおける許可可能なシステムパラメータの組み合わせを示すＣ１の方法。
［Ｃ８］
各組み合わせは異なるタイプのシステムパラメータの組み合わせを備えるＣ７の方法。
［Ｃ９］
各組み合わせは１つ以上の許可可能な送信モード、１つ以上の許可可能な送信電力値、あるいは１つ以上の許可可能なリソース割り当てタイプのうちの少なくとも２つを備えるＣ８の方法。
［Ｃ１０］
前記決定することは、異なるタイプの送信に使用される、異なる制限されたセットのシステムパラメータに関する情報を決定することを備えるＣ１の方法。
［Ｃ１１］
前記異なるタイプの送信は少なくともユニキャストおよびブロードキャスト送信を備えるＣ１０の方法。
［Ｃ１２］
前記異なるタイプの送信は共通基準信号（ＣＲＳ）主体の送信と、ＵＥ特定ＲＳ（ＵＥ−ＲＳ）主体の送信を備えるＣ１０の方法。
［Ｃ１３］
前記情報を決定し、当該情報をユーザ装置（ＵＥ）にシグナリングすることを引き起こす１つ以上の状態を検出することをさらに備えるＣ１の方法。
［Ｃ１４］
１つ以上の状態を検出することは、特定の多重モードの使用または送信がブロードキャストかユニキャストか、の少なくとも１つを検出することを含むＣ１３の方法。
［Ｃ１５］
前記決定することは、異なるセルの身元情報（セルＩＤ）に使用される異なる制限されたセットのシステムパラメータに関する情報を決定することを備えるＣ１の方法。
［Ｃ１６］
前記異なるセルＩＤは異なるバーチャルセルＩＤまたは物理的セルＩＤの少なくとも１つを備えるＣ１５の方法。
［Ｃ１７］
サービング基地局（ＢＳ）による無線通信のための装置であって、
サービングＢＳあるいは１つ以上の潜在的に干渉するＢＳの少なくとも１つからの送信に使用される、制限されたセットのシステムパラメータに関する情報を決定し、
前記情報をユーザ装置（ＵＥ）にシグナリングする
ように構成された少なくとも１つのプロセッサと、
前記少なくとも１つのプロセッサに結合されたメモリと、を備える装置。
［Ｃ１８］
前記制限されたセットのシステムパラメータは、利用可能なトラフィックに対するパイロット（ＴＰＲ）値のサブセット、利用可能な送信モードのサブセット、あるいは利用可能なリソース割り当てタイプのサブセット、の少なくとも１つを含むＣ１７の装置。
［Ｃ１９］
前記制限されたセットのシステムパラメータは、サブフレームのサブセット、ハイブリッド自動反復（ＨＡＲＱ）プロセスのサブセット、あるいは１つ以上の動作モードのサブセット、の少なくとも１つに関して選択的に使用されるＣ１７の装置。
［Ｃ２０］
前記情報は、特定のパラメータが、送信に使用される、前記制限されたセットのシステムパラメータの一部であるかを示すためのビットマップを備えるＣ１７の装置。
［Ｃ２１］
前記情報は、複数のインデックス値から選択されたインデックス値を備え、各インデックス値は前記制限されたセットにおける許可可能なシステムパラメータの組み合わせを示すＣ１７の装置。
［Ｃ２２］
前記決定することは異なるタイプの送信に使用される、異なる制限されたセットのシステムパラメータに関する情報を決定することを備えるＣ１７の装置。
［Ｃ２３］
前記少なくとも１つのプロセッサはさらに、前記情報を決定し、当該情報をＵＥにシグナリングすることを引き起こす１つ以上の状態を検出するように構成されるＣ１７の装置。
［Ｃ２４］
ユーザ装置（ＵＥ）による無線通信のための方法であって、
サービング基地局（ＢＳ）あるいは１つ以上の潜在的に干渉するＢＳの少なくとも１つからの送信に使用される、制限されたセットのシステムパラメータに関する情報のシグナリングを受信することと、
前記１つ以上の潜在的に干渉するＢＳあるいはサービングＢＳからの送信による干渉を抑制するために前記情報を使用することと、を備える方法。
［Ｃ２５］
前記制限されたセットのシステムパラメータは、利用可能なトラフィックに対する基準信号電力（ＴＰＲ）値のサブセット、利用可能な送信モードのサブセット、あるいは利用可能なリソース割り当てタイプのサブセットの少なくとも１つを含むＣ２４の方法。
［Ｃ２６］
前記制限されたセットのシステムパラメータは、サブフレームのサブセット、ハイブリッド自動反復要求（ＨＡＲＱ）プロセスのサブセット、あるいは１つ以上の動作モードのサブセットのうちの少なくとも１つに関して選択的に使用されるＣ２４の方法。
［Ｃ２７］
前記情報は、特定のパラメータが、送信に使用される、前記制限されたセットのシステムパラメータの一部であるかを示すためのビットマップを備えるＣ２４の方法。
［Ｃ２８］
前記情報は、複数のインデックス値から選択されたインデックス値を備え、各インデックス値は前記制限されたセットにおける許可可能なシステムパラメータの組み合わせを示すＣ２４の方法。
［Ｃ２９］
前記受信することは、異なるセルの身元情報（セルＩＤ）に使用される異なる制限されたセットのシステムパラメータに関する情報を受信することを備えるＣ２４の方法。
［Ｃ３０］
ユーザ装置（ＵＥ）による無線通信のための装置であって、
サービング基地局（ＢＳ）あるいは１つ以上の潜在的に干渉するＢＳの少なくとも１つからの送信に使用される、制限されたセットのシステムパラメータに関する情報のシグナリングを受信し、
前記１つ以上の潜在的に干渉するＢＳあるいはサービングＢＳからの送信による干渉を抑制するために前記情報を使用するように構成された少なくとも１つのプロセッサを備える装置。
【図１】
0006426148.tif 000002
【図２】
0006426148.tif 000003
【図３】
0006426148.tif 000004
【図４】
0006426148.tif 000005
【図５】
0006426148.tif 000006
【図６】
0006426148.tif 000007
【図７】
0006426148.tif 000008
【図８】
0006426148.tif 000009
【図９】
0006426148.tif 000010
【図１０】
0006426148.tif 000011